(57)【要約】【課題】栽培ルームを特段設けることなく、しかも収穫量の飛躍的な増大が期待される住宅における植物栽培方法を提供する。【解決手段】住宅における植物栽培方法であって、床下ＢＦ、階段ＳＷの踏板ＦＢの下などの利用度の低い箇所に植物栽培ユニットＵを設けて植物の栽培をなすものである。この場合、植物栽培ユニットＵは、栽培される植物の生育に影響を与える波長の光、例えば葉を柔らかくする光を照射する光源２を有するのが好ましい。【選択図】図２
2014030361.tif 000002
【特許請求の範囲】
【請求項１】
住宅における植物栽培方法であって、利用度の低い箇所に植物栽培ユニットを設けて植物の栽培をなすことを特徴とする住宅における植物栽培方法。
【請求項２】
植物栽培ユニットが、栽培される植物の生育に影響を与える波長の光を照射する光源を有することを特徴とする請求項１記載の住宅における植物栽培方法。
【請求項３】
植物栽培ユニットを積層して植物の栽培をなすことを特徴とする請求項１記載の住宅における植物栽培方法。
【請求項４】
植物栽培ユニットを床下に設け、前記植物栽培ユニットの上方の床板を透明とすることを特徴とする請求項１記載の住宅における植物栽培方法。
【請求項５】
透明とされた床板が着脱自在とされていることを特徴とする請求項４記載の住宅における植物栽培方法。
【請求項６】
植物栽培ユニットを階段の踏板の下に設けることを特徴とする請求項１記載の住宅における植物栽培方法。
【請求項７】
植物栽培ユニットを階段の周りに積層して設けることを特徴とする請求項１記載の住宅における植物栽培方法。
【請求項８】
植物栽培ユニットを窓際に積層して設けることを特徴とする請求項１記載の住宅における植物栽培方法。
【請求項９】
植物栽培ユニットを積層して間仕切り壁とすることを特徴とする請求項１記載の住宅における植物栽培方法。
【発明の詳細な説明】
【技術分野】
【０００１】
本発明は住宅における植物栽培方法に関する。さらに詳しくは、栽培ルームを特段設けることなく植物の栽培をなし、しかもその収穫量の飛躍的な増大が期待される住宅における植物栽培方法に関する。
【背景技術】
【０００２】
従来より、マンションなどにおいては食の安全・安心を確保するため、ベランダを利用して植物の栽培をなすことがなされている。
【０００３】
しかしながら、従来のマンションにおける植物栽培は、プランタをベランダに置いたり、植木鉢をベランダに置いたりすることによりなされている。そのため、収穫量が少ないという問題がある。
【０００４】
なお、栽培ルームの構造については、特許文献１に提案がなされ、植物栽培システムについては、特許文献２に提案がなされている。
【先行技術文献】
【特許文献】
【０００５】
【特許文献１】特開２０１１−２５０７６９号公報
【特許文献２】特開２０１１−１８２７８１号公報
【発明の開示】
【発明が解決しようとする課題】
【０００６】
本発明はかかる従来技術の課題に鑑みなされたものであって、栽培ルームを特段設けることなく、しかも収穫量の飛躍的な増大が期待される住宅における植物栽培方法を提供することを目的としている。
【課題を解決するための手段】
【０００７】
本発明の住宅における植物栽培方法は、住宅における植物栽培方法であって、利用度の低い箇所に植物栽培ユニットを設けて植物の栽培をなすことを特徴とする。
【０００８】
本発明の住宅における植物栽培方法においては、植物栽培ユニットが、栽培される植物の生育に影響を与える波長の光を照射する光源を有するのが好ましい。
【０００９】
また、本発明の住宅における植物栽培方法においては、植物栽培ユニットを積層して植物の栽培をなしてもよい。
【００１０】
また、本発明の住宅における植物栽培方法においては、植物栽培ユニットを床下に設け、前記植物栽培ユニットの上方の床板を透明としてもよい。その場合、透明とされた床板が着脱自在とされているのが好ましい。
また、本発明の住宅における植物栽培方法においては、植物栽培ユニットを階段の踏板の下に設けてもよい。
【００１１】
また、本発明の住宅における植物栽培方法においては、植物栽培ユニットを階段の周りに積層して設けてもよい。
【００１２】
また、本発明の住宅における植物栽培方法においては、植物栽培ユニットを窓際に積層して設けてもよい。
【００１３】
また、本発明の住宅における植物栽培方法においては、植物栽培ユニットを積層して間仕切り壁としてもよい。
【発明の効果】
【００１４】
本発明は前記の如く構成されているので、植物栽培ルームを特段設けることなく植物の栽培がなし得るとともに、住宅の空間利用率の向上が図られるという優れた効果が得られる。
【００１５】
また、従来のベランダなどにおける栽培よりも栽培面積を飛躍的に向上させることができ、その結果収穫量の飛躍的な増加も図られるという優れた効果が得られる。
【図面の簡単な説明】
【００１６】
【図１】植物栽培ユニットの概略図である。
【図２】本発明の実施形態１に係る植物栽培方法による植物栽培例の正面図である。
【図３】同平面図である。
【図４】本発明の実施形態２に係る植物栽培方法による植物栽培例の正面図である。
【図５】同側面図である。
【図６】本発明の実施形態３に係る植物栽培方法による植物栽培例の正面図である。
【図７】同側面図である。
【図８】本発明の実施形態４に係る植物栽培方法による植物栽培例の正面図である。
【図９】同側面図である。
【図１０】本発明の実施形態５に係る植物栽培方法による植物栽培例の正面図である。
【図１１】同側面図である。
【発明を実施するための形態】
【００１７】
以下、添付図面を参照しながら本発明を実施形態に基づいて説明するが、本発明はかかる実施形態のみに限定されるものではない。
【００１８】
概要
本発明は、住宅の特定の箇所に植物栽培ユニットを設けて植物の栽培をなすものとされる。ここで、特定の箇所とは、床下、階段の踏板の下、階段周り、キッチンカウンターの下、窓際などの比較的利用度の低い箇所とされる。また、特定箇所には、間仕切壁が設置される箇所も含まれるものとする。
【００１９】
植物栽培ユニットＵは天板なしの枠状体とされ、図１に示すように、下部に植物培地１が配設される一方、上部に栽培される植物の生育に適した波長の光、例えば葉を柔らかくする波長の光を照射する光源２が配設されてなるものとされる。また、中間部はがらんどうとされている。
【００２０】
実施形態１
図２および図３に、本発明の実施形態１の植物栽培方法による植物栽培を示す。
【００２１】
実施形態１に係る植物の栽培方法は、床下ＢＦの一部に複数の植物栽培ユニットＵ，Ｕ，Ｕ，・・・を所定配列(図示例では３行３列配列)にて設けて植物の栽培をなすものとされる。植物栽培ユニットＵが配置されている箇所の床板１０は、無色透明の強化ガラスやアクリル樹脂の厚板とされ、植物の生育が観察できるようにされている。ここで、強化ガラスやアクリル樹脂の厚板からなる床板１０は、枠１１が付いた枠付とされるとともに、着脱自在とされるのが好ましい。
【００２２】
また、植物栽培ユニットＵは天板が設けられておらず、しかも植物栽培ユニットＵが配置されている箇所の床板１０は透明とされているので、植物栽培ユニットＵがフットライトとして機能する。この場合、強化ガラスやアクリル樹脂は着色や模様がなされていると、照明効果を高めることができる。
【００２３】
このように、本実施形態によれば、床下ＢＦに植物栽培ユニットＵを配置するようにされているので、ベランダにプランタを設けて植物を栽培する場合に比して栽培面積の増大が図られ、その結果収穫量の増大も図られる。
【００２４】
また、有効に活用されていない床下ＢＦを利用しているので、住宅の空間利用率が向上する。
【００２５】
また、夜間には植物栽培ユニットＵがフットライトとしても機能するので、フットライトを特段に設ける必要がなくなり、住宅の構造の簡素化が図られる。
【００２６】
実施形態２
図４および図５に、本発明の実施形態２の植物栽培方法による植物栽培を示す。
【００２７】
実施形態２に係る植物の栽培方法は、階段ＳＷの踏板ＦＢの下に植物栽培ユニットＵを設けて植物の栽培をなすものとされる。
【００２８】
植物栽培ユニットＵは、枠状体とされるとともに、中間部ががらんどうとされているので、夜間には植物栽培ユニットＵが踏板ＦＢを照らしてフットライトとして機能する。
このように、本実施形態によれば、階段ＳＷの踏板ＦＢの下に植物栽培ユニットＵを配置するようにされているので、ベランダにプランタを設けて植物を栽培する場合に比して栽培面積の増大が図られ、その結果収穫量の増大も図られる。
また、有効に利用されていない階段の踏板ＦＢの下を利用しているので、住宅の空間利用率が向上する。
【００２９】
また、植物栽培ユニットＵがフットライトとしても機能するので、フットライトを特段に設ける必要がなくなり、住宅の構造の簡素化が図られる。
【００３０】
実施形態３
図６および図７に、本発明の実施形態３の植物栽培方法による植物栽培を示す。
【００３１】
実施形態３に係る植物の栽培方法は、階段ＳＷの周りに植物栽培ユニットＵを積層して設けて植物の栽培をなすものとされる。
このように、本実施形態によれば、階段ＳＷの周りに植物栽培ユニットＵを積層して配置するようにされているので、ベランダにプランタを設けて植物を栽培する場合に比して栽培面積の飛躍的な増大が図られ、その結果収穫量の飛躍的な増大も図られる。
【００３２】
また、植物栽培ユニットＵは中間部ががらんどうとされているので、夜間には壁面照明(間接照明)としても機能する。
【００３３】
このように、本実施形態によれば、階段ＳＷの周りに植物栽培ユニットＵを積層して配置するようにされているので、ベランダにプランタを設けて植物を栽培する場合に比して栽培面積の飛躍的な増大が図られ、その結果収穫量の飛躍的な増大も図られる。
また、あまり利用されていない階段ＳＷの周りを利用しているので、住宅の空間利用率が向上する。
【００３４】
また、夜間には植物栽培ユニットＵが壁面照明としても機能するので、壁面照明を特段に設ける必要がなくなり、住宅の構造の簡素化が図られる。
【００３５】
実施形態４
図８および図９に、本発明の実施形態４の植物栽培方法による植物栽培を示す。
実施形態４に係る植物の栽培方法は、窓際ＮＷに植物栽培ユニットＵを積層して設けて植物の栽培をなすものとされる。
【００３６】
このように、本実施形態によれば、窓際ＮＷに植物栽培ユニットＵを積層して配置するようにされているので、緑のカーテンを構築することができる。
また、あまり利用されていない窓際ＮＷを利用しているので、住宅の空間利用率が向上する。
【００３７】
また、夜間には植物栽培ユニットＵが壁面照明としても機能するので、壁面照明を特段に設ける必要がなくなり、住宅の構造の簡素化が図られる。
【００３８】
実施形態５
図１０および図１１に、本発明の実施形態５の植物栽培方法による植物栽培を示す。
実施形態５に係る植物の栽培方法は、植物栽培ユニットＵを積層して間仕切り壁ＭＷとして植物の栽培をなすものとされる。
【００３９】
このように、本実施形態によれば、間仕切り壁ＭＷを植物栽培ユニットＵを積層して構成しているので、間仕切り壁ＭＷを表情豊かな壁とすることができる。
【００４０】
また、夜間には植物栽培ユニットＵが壁面照明としても機能するので、壁面照明を特段に設ける必要がなくなり、住宅の構造の簡素化が図られる。
【００４１】
以上、本発明を実施形態に基づいて説明してきたが、本発明はかかる実施形態のみに限定されるものではなく、種々改変が可能である。
【００４２】
例えば、本実施形態では、床下ＢＦ、階段ＳＷの踏板ＦＢの下、階段ＳＷ周り、キッチンカウンターの下、窓際ＮＷなどの比較的利用度の低い箇所に植物栽培ユニットＵが設けられるようにされているが、リビングの中央にインテリアとして設けるようにされてもよい。
【産業上の利用可能性】
【００４３】
本発明は、住宅産業に適用できる。
【符号の説明】
【００４４】
Ｕ        植物栽培ユニット
ＢＦ      床下
ＦＢ      踏板
ＳＷ      階段
ＮＷ      窓際
ＭＷ      間仕切り壁
１        植物培地
２        光源
１０        床板
１１        枠
【図１】
2014030361.tif 000003
【図２】
2014030361.tif 000004
【図３】
2014030361.tif 000005
【図４】
2014030361.tif 000006
【図５】
2014030361.tif 000007
【図６】
2014030361.tif 000008
【図７】
2014030361.tif 000009
【図８】
2014030361.tif 000010
【図９】
2014030361.tif 000011
【図１０】
2014030361.tif 000012
【図１１】
2014030361.tif 000013